(57)【要約】【課題】  他室の室内機も自室の室内機と同様にきめ細かな設定ができるようにしたマルチ型空気調和機を提供する。【解決手段】  室外制御器１１を有する室外機１０と、それぞれに室内制御器２５、３５を有する複数台の室内機２０、３０と、それぞれの室内機２０、３０に対応して操作する個別のリモコン２１、３１とを備え、前記室外制御器１１に各室内制御器２５、３５をシステム的に接続したマルチ型空気調和機１において、前記各リモコン２１、３１には自室室内機２０の操作信号及び他室室内機３０の操作信号を室内機２０へ送信する送信部６１と、前記自室及び他室の操作信号を切り替える切替スイッチ５６とを設け、各室内制御器には自室室内機の操作信号及び他室室内機の操作信号を受信する受信部２６を設けた。【選択図】      図２
2004340567.tif 000002
【特許請求の範囲】
【請求項１】
室外制御器を有する室外機と、それぞれに室内制御器を有する複数台の室内機と、それぞれの室内機に対応して操作する個別のリモコンとを備え、前記室外制御器に各室内制御器をシステム的に接続したマルチ型空気調和機において、
前記各リモコンには自室室内機の操作信号及び他室室内機の操作信号を室内機へ送信する送信部と、前記自室及び他室の操作信号を切り替える切替スイッチとを設け、各室内制御器には自室室内機の操作信号及び他室室内機の操作信号を受信する受信部を設けたことを特徴とするマルチ型空気調和機。
【請求項２】
前記各室内制御器には自室室内機及び他室室内機の運転状況をリモコンへ送信する送信部を設け、前記各リモコンには室内制御器からの信号を受信する受信部と、受信した内容を表示する表示部と、この表示部の表示を自室及び他室に切り替える切替スイッチとを設けたことを特徴とする請求項１に記載のマルチ型空気調和機。
【請求項３】
前記各室内機には自室及び他室の運転状況を表示する表示部を設けたことを特徴とする請求項１または２に記載のマルチ型空気調和機。
【発明の詳細な説明】
【技術分野】
【０００１】
この発明は１台の室外機と複数台の室内機とによって構成されるマルチ型空気調和機に関するものである。
【背景技術】
【０００２】
一般に、マルチ型空気調和機は、１台の室外機と複数の室内機とこれら室内機にそれぞれ対応したリモコンとを有し、複数の室内機をそれぞれの部屋に設置して、各部屋に設置した室内機がその室内機に対応した専用のリモコンによって運転操作される。
【０００３】
この種のマルチ型空気調和機は、近年、自室のリモコンによって自室の室内機を操作できるばかりでなく、自室にいたまま離れた場所にある他室室内機の操作ができるようになっており、子供部屋や病人の寝ている部屋などに設置された室内機を離れた別の部屋から操作できるようになっている（例えば、特許文献１参照）。
【特許文献１】特許第２９７０３９３号公報
【発明の開示】
【発明が解決しようとする課題】
【０００４】
しかしながら、上述した従来のマルチ型空気調和機において、自室のリモコンで自室の室内機を操作する場合に温度設定や風量調節などきめ細かな設定ができるようになっているが、自室のリモコンで他室の室内機を操作する場合には、予め室内機に設定された内容で運転する、いわゆる自動運転により運転がなされるようになっており、室温や風量などの設定内容を変更したい場合には、その変更ができなかった。他室の室内機の設定内容を変更する場合には、他室まで行ってその部屋にあるリモコンで直接操作する必要があった。
【０００５】
本発明は、このような従来の事情に鑑みなされたものであり、他室の室内機も自室の室内機と同様にきめ細かな設定ができるようにしたマルチ型空気調和機を提供することを目的とするものである。
【課題を解決するための手段】
【０００６】
前記目的を達成するために、請求項１に記載の発明は、室外制御器を有する室外機と、それぞれに室内制御器を有する複数台の室内機と、それぞれの室内機に対応して操作する個別のリモコンとを備え、前記室外制御器に各室内制御器をシステム的に接続したマルチ型空気調和機において、前記各リモコンには自室室内機の操作信号及び他室室内機の操作信号を室内機へ送信する送信部と、前記自室及び他室の操作信号を切り替える切替スイッチとを設け、各室内制御器には自室室内機の操作信号及び他室室内機の操作信号を受信する受信部を設けたことを特徴とする。
【０００７】
請求項２に記載の発明は、請求項１に記載のマルチ型空気調和機において、前記各室内制御器には自室室内機及び他室室内機の運転状況をリモコンへ送信する送信部を設け、前記各リモコンには室内制御器からの信号を受信する受信部と、受信した内容を表示する表示部と、この表示部の表示を自室及び他室に切り替える切替スイッチとを設けたことを特徴とする。
【０００８】
請求項３に記載の発明は、請求項１または２に記載のマルチ型空気調和機において、前記各室内機には自室及び他室の運転状況を表示する表示部を設けたことを特徴とする。
【発明の効果】
【０００９】
本発明のマルチ型空気調和機は、各リモコンに自室室内機と他室室内機の操作を切り替える部屋切替スイッチを設け、このスイッチを切り替えることにより、リモコンからの操作信号を自室の制御器、またはこの自室の制御器を通して他室の制御器に送信できるようになっているので、自室のリモコンにより他室の室内機の操作を自室と同様にきめ細かく、かつ容易に行うことができる。
【００１０】
また、各室内機には他室からの運転状況を自室のリモコンへ送信する送信部を設けたので、手元で他室の運転状況を確認することができる。
【実施例】
【００１１】
以下、本発明の一実施例を図面に基づいて説明する。図１は本発明の一実施例におけるマルチ型空気調和機の概略構成図である。なお、本実施例では主にＡ室を自室、Ｂ室を他室として説明する。
【００１２】
図１において、１０は室外機、２０はＡ室に設置した室内機、３０はＢ室に設置した室内機で、各室内機２０、３０には、それぞれの室内機２０、３０を操作するワイヤレスリモコン（以下単にリモコンという）２１、３１を備えている。これら１台の室外機１と２台の室内機２０、３０とが冷媒管２を介して接続されることにより、ヒートポンプ式のマルチ型空気調和機１を構成している。また、Ａ室の室内機２０及びリモコン２１と、Ｂ室の室内機３０及びリモコン３１はほぼ同様の構成である。
【００１３】
前記室外機１０には、圧縮機、四方弁、室外熱交換器、電動膨張弁、アキュームレータなど（図示せず）の構成部品が収納され、これらの構成部品が冷媒管２によりつながれ、各室内機２０、３０にはそれぞれ室内熱交換器（図示せず）、及びこの室内熱交換器に送風する室内送風機（図示せず）が収納されている。これら室外機１０の構成部品と室内熱交換器とが冷媒管２によりつながれ、室外機１０と室内機２０との間、及び室外機１０と室内機３０との間でそれぞれ冷媒循環回路を形成している。これら冷媒循環回路に冷媒を循環させ、室内熱交換器を冷却または加熱し、室内空気と熱交換することにより、Ａ室、Ｂ室の冷房、暖房、または除湿を行っている。
【００１４】
室内機２０の前面には、それぞれのＬＥＤを使用した本体表示部２０Ａが設けられ、Ａ室室内機２０の運転モードを表示する自室運転ランプ２２、及びＢ室室内機３０の運転モードを表示する他室運転ランプ２３が設けられている。自室運転ランプ２２及び他室運転ランプ２３には、異なる色を発光する２個の発光ダイオードが一体に設けられた、所謂カメレオンランプが用いられており、暖房運転時に赤色、冷房運転時に緑色、除湿運転時に赤と緑とを同時に点灯させ橙色に発光点灯する。本体表示部２０Ａの各ランプ２２、２３は、後述する室内制御器２５に接続されている。一方、室内機３０の前面にも同様に自室運転ランプ３２及び他室運転ランプ３３が設けられ、自室運転ランプ３２はＢ室室内機３０の運転モードを、他室運転ランプ３３はＡ室室内機２０の運転モードを表示する。
【００１５】
図２は本発明の一実施例におけるマルチ型空気調和機の制御器のシステム構成図である。図２において、室外機１０には室外制御器１１、室内機２０、３０にはそれぞれ室内制御器２５、３５が設けられ、配線３を介してシステム的に接続されており、マルチ型空気調和機１全体の運転を制御する。
【００１６】
Ａ室において、リモコン２１には、操作部５７、表示部５８、自室送受信部６１、他室送受信部６２及び部屋切替スイッチ５６が設けられ、部屋切替スイッチ５６を自室側に切り替えることにより、自室（Ａ室）室内機２０を操作することができ、自室室内機２０の運転内容を表示部５８に表示することができる。他室側に切り替えることにより、他室（Ｂ室）室内機３０の操作と表示をすることができる。
【００１７】
また、Ａ室の室内制御器２５には自室送受信部２６、他室送受信部２７及び制御部２８が設けられ、Ａ室の室温を検出する室温センサ２９と前記本体表示部２０Ａの自室運転ランプ２２と他室運転ランプ２３とが接続されている。
【００１８】
自室送受信部２６はリモコン２１から送られる自室信号を受信し、受信した内容を制御部２８へ送るようになっており、また自室の運転状況（室温）の信号をリモコン２１へ送信するようになっている。
【００１９】
同様に、他室送受信部２７はリモコン２１から送られる他室信号を受信し、受信した内容を制御部２８へ送るようになっており、また自室の運転状況（室温）の信号をリモコン２１へ送信するようになっている。
【００２０】
また、Ｂ室において、リモコン３１には、操作部５７、表示部５８、自室送受信部７１、他室送受信部７２及び部屋切替スイッチ５６が設けられ、部屋切替スイッチ５６を自室側に切り替えることにより、自室（Ｂ室）室内機３０を操作することができ、自室室内機３０の運転内容を表示部５８に表示することができる。他室側に切り替えることにより、他室（Ａ室）室内機２０の操作と表示をすることができる。
【００２１】
前記室内制御器３５は、自室送受信部３６、他室送受信部３７及び制御部３８が設けられ、Ｂ室の室温を検出する室温センサ３９と前記本体表示部３０Ａの自室運転ランプ３２と他室運転ランプ３３とが接続されている。
【００２２】
これら室内制御器２５、３５及び室外制御器１１により室外機１０の構成部品や室内機２０、３０の電気部品が制御されマルチ型空気調和機１が運転制御される。
【００２３】
図３は、例えば、Ａ室のリモコンの正面図である。図２、図３において、Ａ室のリモコン２１には、室内機２０の冷房・暖房・除湿モードを切り替えて設定する運転モード切替スイッチ５１、室内機２０の運転または停止を行う運転・停止スイッチ５２、希望する室温に設定する室温設定スイッチ５３、設定された時間に運転を開始または停止する入タイマースイッチ５４ａ・切タイマースイッチ５４ｂ、室内送風機の風量を設定する風量切替スイッチ５５及び左右にスライドさせて自室（Ａ室）・他室（Ｂ室）の設定内容を切り替えて送信する部屋切替スイッチ５６等のスイッチ類が配置された操作部５７と、室温センサ２９で検出された値及びスイッチ類で設定された内容を液晶表示する表示部５８と、自室（Ａ室）送受信部６１と、他室（Ｂ室）送受信部６２とが設けられている。
【００２４】
前記表示部５８には、室温センサ２９で検出された室温と、運転モード切替スイッチ５１の操作に対して自動、暖房、除湿、または冷房の表示と、室温設定スイッチ５３の操作に対して設定温度の表示と、入タイマースイッチ５４ａの操作に対して入タイマーの文字及び入タイマーにより運転を開始する入時間と、切タイマースイッチ５４ｂの操作に対して切タイマーの文字及び切タイマーによる運転を停止する切時間と、風量切替スイッチ５５の操作に対して自動、強、中、または弱の表示とがそれぞれ示される。なお、Ｂ室リモコン３１に設けられる送受信部７１、７２は自室がＢ室、他室がＡ室になっている。
【００２５】
このように構成されたマルチ型空気調和機１のＡ室において、自室の空調運転を行う場合、リモコン２１にて部屋切替スイッチ５６を自室側にし、運転モード切替スイッチ５１、室温設定スイッチ５３、風量切替スイッチ５５を操作設定する。そして、運転・停止スイッチ５２を押すことにより、リモコン２１の自室送受信部６１を介して室内機２０へ運転信号が送信される。その信号が室内機２０の自室送受信部２６を介して室内制御器２５の制御部２８へ入力される。制御部２８ではその信号に基づいて室外制御部１１へ運転指令を送信し、その結果、Ａ室の空調運転が開始される。このときＡ室の室内機２０においては、本体表示部２０Ａの自室運転ランプ２２が点灯し、Ｂ室の室内機３０においては、本体表示部３０Ａの他室運転ランプ３３が点灯する。
【００２６】
次にＡ室においてＢ室の空調運転を行う場合、まずリモコン２１にて部屋切替スイッチ５６を他室側にし、運転モード切替スイッチ５１、室温設定スイッチ５３、風量切替スイッチ５５を設定する。この設定内容がリモコン２１の表示部５８に表示される。そして、運転・停止スイッチ５２を押すことにより、リモコン２１の他室送受信部６２から室内機２０の他室送受信部２７へ送信される。他室送受信部２７で受信した信号が制御部２８を介して、室外制御器１１及びＢ室の室内制御器３５の制御部３８へ入力される。これによりＢ室の空調運転が開始される。このときＢ室の室内機３０においては、本体表示部３０Ａの自室運転ランプ３２が点灯し、リモコン３１においては、部屋切替スイッチ５６が自室側の場合に、表示部５８に自室（Ｂ室）の室温及び設定内容が表示される。また、Ａ室の室内機２０においては、本体表示部２０Ａの他室運転ランプ２３が点灯し、リモコン２１においては、Ｂ室の運転内容が表示部５８に表示される。この表示内容は、例えば室温センサ３９の値がＢ室内制御器３５の制御部３８、室外制御器１１を介しＡ室の自室送受信部２６から信号が送信され、リモコン２１の表示部５８に表示されるものである。
【００２７】
以上のように本実施例では、Ａ室のリモコン２１に部屋切替スイッチ５６、自室送受信部６１及び他室送受信部６２、室内機２０に自室送受信部２６及び他室送受信部２７を設けたので、部屋切替スイッチ５６を自室側にしてスイッチを操作することにより、自室室内機２０の運転内容が設定でき、部屋切替スイッチ５６を他室側にすることにより、他室の運転内容が自室と同様に設定できる。
【００２８】
さらに、他室（Ｂ室）においては、部屋切替スイッチ５６が自室側になっているときには、室内機３０の自室送受信部３６から送信された信号がリモコン３１の表示部３０Ａに表示されるので、設定内容が容易に確認できる。このように、リモコン２１の部屋切替スイッチ５６を切り替えるだけで他室の室内機３０が自室の室内機２０と同じように操作できるので、使い勝手の優れたマルチ型空気調和機とすることができる。
【００２９】
以上本発明の一実施例について説明したが、本発明はこの実施例に限定されるものではなく、この発明の範囲内で種々変更して実施可能である。例えば前記実施例では１台の室外機１０に２台の室内機２０、３０を接続したシステムを例に挙げているが、３台以上の室内機を接続したシステムとしてもよい。
【００３０】
また、本体表示部２０Ａ、３０Ａには自室運転ランプ２２、３２と他室運転ランプ２３、３３を設けているが、自室及び他室のタイマー運転状況を表示するタイマーランプ等を設けるようにしても良い。
【図面の簡単な説明】
【００３１】
【図１】本発明の一実施例におけるマルチ型空気調和機の概略構成図である。
【図２】本発明の一実施例におけるマルチ型空気調和機の制御器のシステム構成図である。
【図３】リモコンの正面図である。
【符号の説明】
【００３２】
１  マルチ型空気調和機
１０  室外機
１１  室外制御器
２０  Ａ室室内機
３０  Ｂ室室内機
２０Ａ、３０Ａ  本体表示部
２１、３１  ワイヤレスリモコン
２２、３２  自室運転ランプ
２３、３３  他室運転ランプ
２４、３４  タイマーランプ
２５、３５  室内制御器
２６、３６  自室の本体送受信部
２７、３７  他室の本体送受信部
２８、３８  制御部
２９、３９  室温センサ
５１  運転モード切替スイッチ
５２  運転・停止スイッチ
５３  室温設定スイッチ
５４ａ  入タイマースイッチ
５４ｂ  切タイマースイッチ
５５  風量切替スイッチ
５６  部屋切替スイッチ（切替スイッチ）
５７  操作部
５８  表示部
６１  自室送受信部（リモコンの送信部と受信部）
６２  他室送受信部（リモコンの送信部と受信部）
【図１】
2004340567.tif 000003
【図２】
2004340567.tif 000004
【図３】
2004340567.tif 000005